(57)【特許請求の範囲】
【請求項１】
伝送路を介して複数の端末を受信機に接続し、受信機からのアドレス指定による呼出信号の送信で端末を順次呼出し、端末側で呼出アドレスと自己アドレスとの一致照合が得られた際に端末応答信号を送信し、該端末応答信号を受信機で受信解読して警報等を行う火災報知システムに於いて、
前記複数の端末のいずれかは、火災検出時に感知器回線を低インピーダンスに短絡して発報信号を送出する火災感知器を、１又は複数の感知器回線に接続し、回線単位に前記火災感知器からの発報信号を受信して処理する感知器用中継器であり、
前記感知器用中継器に、火災発報を検出した際に、発報回線に検索信号を送出して発報した前記火災感知器を検索する発報検索部を設け、
前記火災感知器の各々に、火災発報状態において前記発報検索部からの検索信号を判別した際に、発報電流を所定の保持電流に低下させた検索応答信号を返送する検索応答部を設けたことを特徴とする火災報知システム。
【請求項２】
請求項１記載の火災報知システムに於いて、
前記火災感知器の検索応答部は、ＥＥＰＲＯＭ等の不揮発性メモリを備え、該不揮発性メモリの所定のアドレスに固有の感知器番号データを記憶し、前記検索信号に基づく感知器番号データの読出しで発報信号を変化させて検索応答信号を送出し、
前記感知器用中継器の発報検索部は、火災発報の検出時に前記所定のアドレスの指定により複数の感知器から各々異なる固有の感知器番号データの並列的な読出しで検索応答動作を行わせることを特徴とする火災報知システム。
【請求項３】
請求項２記載の火災報知システムにおいて、
前記感知器用中継器に、前記受信機からのアドレス指定による試験コマンドを受信したときに感知器回線の火災感知器に試験信号を送って遠隔試験を行う遠隔試験部を設け、
前記火災感知器の各々に、前記試験信号に基づいて擬似的な試験発報動作を行う試験回路部を設けたことを特徴とする火災報知システム。
【請求項４】
請求項２記載の火災報知システムに於いて、
前記複数の火災感知器の試験回路部は、前記不揮発性メモリの所定アドレスに記憶した感知器番号データの読出しで動作する遠隔試験機能を備え、
前記感知器用の遠隔試験部は、
試験開始時に、前記所定アドレスの指定による複数の火災感知器からの各々異なる固有の感知器番号データの並列的な読出により感知器番号順に遠隔試験を行わせる試験制御部と、
前記試験制御部により前記複数の火災感知器の試験動作が行われている時の前記感知器回線の状態に基づき、前記複数の火災感知器の全てが新発報した場合に正常と判断し、前記複数の火災感知器の少なくとも１つで試験発報がなかった場合に異常と判断する試験結果判定部と、
を備えたことを特徴とする火災報知システムの遠隔試験器。
【請求項５】
請求項１記載の火災報知システムに於いて、
前記感知器用中継器の発報検索部は、火災発報の検出時に複数の火災検出器のアドレスを指定した検索信号を個別に出力して応答信号を受信し、
前記火災感知器の検索応答部は、ＣＰＵを備え、自己アドレスに一致する検索信号を判別して発報の有無を示す検索応答信号を送出することを特徴とする火災報知システム。
【請求項６】
請求項１記載の火災報知システムに於いて、
前記感知器用中継器の発報検索部は、火災発報の検出時に感知器回線に同じ検索信号を繰り返し出力すると共に検索応答信号を受信して感知器回線の手前側から奥側の火災感知器まで１つずつ検索を行い、
前記火災感知器の検索応答部は、手前側の火災感知器から順番に感知器回線に送出される前記検索信号の受信して火災発報の有無を示す検索応答信号を送出すると共に、次の火災感知器に前記検索信号を供給可能な接続状態を形成することを特徴とする火災報知システム。
【請求項７】
請求項１記載の火災報知システムに於いて、前記発報検索部の検索機能を感知器回線の回線毎に有効無効を任意に設定できることを特徴とする火災報知システム。
【請求項８】
請求項１記載の火災報知システムに於いて、前記火災感知器の検索応答部は同一回線上のいずれかの火災感知器が発報している間は２報以上の同時発報を禁止することを特徴とする火災報知システム。
【発明の詳細な説明】
【０００１】
【発明の属する技術分野】
本発明は、受信機からのアドレス指定により感知器用中継器等の端末を順次呼出すことにより端末情報を受信して火災警報を行う火災報知システムに関し、特に、感知器用中継器からの感知器回線に接続している発報した火災感知器のアドレスを検索して応答できるようにした火災報知システムに関する。
【０００２】
【従来の技術】
従来、Ｒ型として知られた火災報知システムにあっては、伝送路を介してアナログ火災感知器、感知器用中継器等の端末を受信機に接続し、受信機からのアドレス指定による呼出信号の送信で端末を順次呼出し、端末側で呼出アドレスと自己アドレスとの一致照合が得られた際に端末応答信号を送信し、この端末応答信号を受信機で受信解読して警報等を行うようにしている。
【０００３】
ここで端末がアナログ火災感知器の場合、感知器自体が中継器としての機能を備えており、火災を検出すると受信機に割込み信号を送信する。受信機は、端末からの火災割込みに基づき、検索コマンドを発行して発報した端末のアドレスを特定し、火災発生アドレスを表示すると共に、特定した端末装置から火災データを収集して監視するようにしている。
【０００４】
また端末が感知器用中継器の場合には、感知器用中継器から引き出された感知器回線に複数のオン−オフ式の火災感知器を接続し、回線単位に火災感知器からの発報信号を受信して火災を判断している。このオン−オフ式の火災感知器はアナログ火災感知器や感知器用中継器のように受信機と伝送する機能を持たず、火災を検出したときは感知器回線を短絡させて感知器用中継器に火災信号を送出するものである。
【０００５】
このため感知器用中継器で回線発報を検出すると、受信機に割込み信号を送信する。受信機は端末からの火災割込みに基づき、検索コマンドを発行して発報した端末アドレスを特定して表示すると共に、特定した端末から火災データを収集して監視するようにしている。
【０００６】
このように火災を検出した端末のアドレスが分かると、適切な避難誘導や消火活動が可能となり、特に規模の大きな設備の火災監視には不可欠な機能となっている。
【０００７】
【発明が解決しようとする課題】
このようなＲ型の火災報知システムにおいて、感知器用中継器はどの感知器回線が火災発報したかを受信機に送ることができるため、受信機では例えば「○号ビル１階」のように広い範囲で火災発生場所を表示することが行われるが、発報した感知器回線内のどの火災感知器が発報したのかは判らないないため、狭い範囲での発報感知器の設置場所、例えば「○号ビル１階機械室」のように詳しく表示することができない。
【０００８】
また、感知器回線単位に火災を監視する感知器用中継器を設置した場合であっても、火災に対する危険度の高い場所や重要な設備機器を設置する場所については、火災時に重要監視場所の火災感知器が発報したことを個別に知る必要があるが、現在の感知器用中継器では、専用の感知器回線を引いて対応するしかなく、専用回線では設備が複雑化してコストアップとなり、十分な対応がとれない問題があった。
【０００９】
さらにこのような火災報知システムにおいては、受信機から各端末に対して試験コマンドを送出し、各端末を試験動作させて、各端末が正常に動作しているか遠隔試験を行っているが、感知器用中継器は接続されている火災感知器に対して試験動作させることができず、遠隔的に火災感知器の試験を行うことができないため、実際に火災感知器の現場に行って発報動作させて試験を行っていた。
【００１０】
本発明は、このような従来の問題点に鑑みてなされてもので、回線単位に火災監視を行う感知器用中継器につき、必要な感知器回線については、感知器回線内の発報した火災感知器を特定して表示でき、更に火災感知器の遠隔試験もできるようにした火災報知システムを提供することを目的とする。
【００１１】
【課題を解決するための手段】
この目的を達成するため本発明は、伝送路を介して複数の端末を受信機に接続し、受信機からのアドレス指定による呼出信号の送信で端末を順次呼出し、端末側で呼出アドレスと自己アドレスとの一致照合が得られた際に端末応答信号を送信し、該端末応答信号を受信機で受信解読して警報等を行う火災報知システムを対象とする。
【００１２】
このような火災報知システムにつき本発明は、複数の端末のいずれかは、火災検出時に感知器回線を低インピーダンスに短絡して発報信号を送出する火災感知器を、１又は複数の感知器回線に接続し、回線単位に火災感知器からの発報信号を受信して処理する感知器用中継器であった場合、この感知器用中継器に、火災発報を検出した際に、発報回線に検索信号を送出して発報した火災感知器を検索する発報検索部を設け、また火災感知器の各々に、火災発報状態において発報検索部からの検索信号を判別した際に、発報電流を所定の保持電流に低下させた検索応答信号を返送する検索応答部を設けたことを特徴とする。
【００１３】
このため感知器用中継器において自動的に感知器回線に接続している発報した火災感知器の個別アドレスを検索し、受信機からの呼出しに対し検索したアドレスを応答して発報した感知器アドレスを表示することができる。また発報した感知器アドレスの検索は、感知器回線単位であり、１回線接続する火災感知器の数はそれほど多くないため、比較的簡単な伝送回路機能を感知器用中継器に設ければよく、安価に実現できる。
【００１４】
本発明の火災報知システムの具体例として、火災感知器の検索応答部は、ＥＥＰＲＯＭ等の不揮発性メモリを備え、不揮発性メモリの所定のアドレスに固有の感知器番号データを記憶し、検索信号に基づく感知器番号データの読出しで発報信号を変化させて検索応答信号を送出す。また、感知器用中継器の発報検索部は、火災発報の検出時に所定のアドレスの指定により複数の感知器から各々異なる固有の感知器番号データの並列的な読出しで検索応答動作を行わせる。
【００１５】
このように火災感知器側には、ＣＰＵを必要とせず、ＥＥＰＲＯＭ等の不揮発性メモリとそのインタフェース回路を受けるという簡単な構成で発報感知器のアドレスを検索して表示することができ、大幅なコントダウンが実現できる。
【００１６】
更に、本発明は、火災感知器の遠隔試験を可能とするため、感知器用中継器に、試験信号を火災感知器に送って遠隔試験を行う遠隔試験部を設け、火災感知器の各々に、試験信号に基づいて擬似的な試験発報動作を行う試験回路部を設けるようにしてもよい。
【００１７】
この試験回路部は、不揮発性メモリの所定アドレスに記憶した感知器番号データの読出しで動作する遠隔試験機能を備える。
【００１８】
また感知器用中継器の遠隔試験部は、試験開始時に、所定アドレスの指定による複数の火災感知器からの各々異なる固有の感知器番号データの並列的な読出により感知器番号順に遠隔試験を行わせる試験制御部と、試験制御部により複数の火災感知器の試験動作が行われている時の感知器回線の状態に基づき、複数の火災感知器の全てが試験発報した場合が正常と判断し、複数の火災感知器の少なくとも１つで試験発報がなかった場合にが異常であることを判断する試験結果判定部とを備える。
【００１９】
一方、本発明の火災報知システムの別の形態として、感知器用中継器の発報検索部は、火災発報の検出時に複数の火災検出器のアドレスを指定した検索信号を個別に出力して応答信号を受信し、火災感知器の検索応答部は、ＣＰＵを備え、自己アドレスに一致する検索信号を判別して発報の有無を示す検索応答信号を送出するようにしてもよい。
【００２０】
また本発明の火災報知システムの別の形態として、感知器用中継器の発報検索部は、火災発報の検出時に感知器回線に同じ検索信号を繰り返し出力すると共に検索応答信号を受信して感知器回線の手前側から奥側の火災感知器まで１つずつ検索を行い、火災感知器の検索応答部は、手前側の火災感知器から順番に送出検索信号を受信して火災発報の有無を示す検索応答信号を出力すると共に次の火災感知器に検索信号を供給可能な接続状態を形成するようにしてもよい。
【００２１】
また発報検索部の検索機能を感知器回線の回線毎に有効無効を任意に設定できる。
【００２２】
更に、火災感知器の検索応答部は、同一回線上のいずれかの火災感知器が発報している間は２報以上の同時発報を禁止する。
【００２３】
【発明の実施の形態】
図１は本発明の火災報知システムのシステム構成を示したブロック図である。
【００２４】
図１において、受信機１０から引き出された伝送路５には、感知器用中継器１、アナログ煙感知器６、アナログ熱感知器７及び制御用中継器８が接続されている。
【００２５】
感知器用中継器１からは例えば感知器回線２ａ，２ｂ，２ｃが引き出され、感知器回線２ａ〜２ｃのそれぞれに複数の火災感知器３と終端器４を接続している。火災感知器３は火災を検出したときに感知器回線２を短絡させて感知器用中継器１に火災信号を送信する火災感知器である。また制御用中継器８からの制御線８ａには地区ベル、防排煙機器等の制御負荷９を接続している。
【００２６】
受信機１０には受信機用ＭＰＵ１１が設けられ、受信機用ＭＰＵ１１に対しては表示部１２、操作部１３、警報用メッセージを出力する鳴動部１４を設けている。受信機用ＭＰＵ１１には、プログラム制御により実現される呼出制御部１５、割込処理部１６及び定期点検部１７の機能が設けられている。
【００２７】
これに対応して端末側の感知器用中継器１には、呼出応答部１８、割込送信部１９、発報検索部２０及び遠隔試験部２１が設けられている。端末側のアナログ煙感知器６とアナログ熱感知器７にあっては、感知器用中継器１における呼出応答部１８、割込送信部１９及び遠隔試験部２１の機能が設けられる。更に制御用中継器８にあっては、感知器用中継器１における呼出応答部１８、割込送信部１９に加え、端末駆動のための端末制御部を備えている。
【００２８】
受信機１０の呼出制御部１５は各端末に対し一連の端末アドレスを設定しており、例えばアドレス１〜１２７の１２７アドレスが使用される。受信機１０の呼出制御部１５は、端末情報を収集する通常のポーリング時には端末アドレス及び呼出コマンドを含む呼出信号を使用して一定周期ごとに順次端末を呼び出して端末情報を応答送信させている。
【００２９】
また呼出制御部１５は、遠隔試験や端末制御を行う際には端末アドレスを指定した制御信号を送信すると同時に、制御信号と制御信号の間にポーリング用の呼出信号を入れて送信する。ここで端末に対する制御信号としては、制御用中継器８の制御負荷９を駆動するための制御コマンドを含む制御信号と、定期点検部１７からの一定時間ごとの定期点検指示に基づいて感知器用中継器１、アナログ煙感知器６及びアナログ熱感知器７のアドレスを順次指定して試験コマンドを送る端末試験用の制御信号がある。尚、端末試験は人為的に特定の端末アドレスを設定して行うこともできる。
【００３０】
図２は図１の受信機１０からの呼出信号と端末側からの応答信号のフォーマットを示す。図２（Ａ）は、受信機１０からの呼出信号であり、呼出コマンド、検索コマンド又は制御コマンド等を設定する８ビットのコマンドフィールド、端末アドレスを設定する８ビットのアドレスフィールド、更に、８ビットのチェックサムフィールドの３バイトで構成される。
【００３１】
図２（Ｂ）は端末からの応答信号であり、端末応答データを設定する８ビットのデータフィールドと８ビットのチェックサムフィールドの２バイトで構成される。また呼出信号及び応答信号の各バイトの前後にはスタートビット、パリティビット及びストップビットが設けられる。勿論、呼出信号及び応答信号のフォーマットは、この実施形態に限定されず、必要に応じて適宜のフォーマット構成とできる。
【００３２】
再び図１を参照するに、受信機１０の呼出制御部１５は端末のアドレスを順次指定したサンプリングコマンドＣ１を含む呼出信号を一定周期で送信している。このため感知器用中継器１の呼出応答部１８にあっては、受信機１０からの呼出信号に含まれる呼出アドレスが自己アドレスに一致することを判別すると、そのときの感知器回線２ａ〜２ｃの状態、即ち発報状態か非発報状態かを示すデータを含む応答信号を受信機１０に返送する。
【００３３】
感知器用中継器１の割込送信部１９は、受信機１０の呼出制御部１５からのサンプリングコマンドＣ１に基づいた感知器回線の検出状態から火災感知器の発報による回線発報を受信した場合、いずれかの端末に対する呼出信号の後の端末応答タイミングを使用して火災発生を受信機１０に知らせるための割込信号を送信する。
【００３４】
ここで、受信機１０から端末に対する呼出信号は電圧モードで送られており、一方、端末から受信機１０に対する応答信号は電流モードで送られている。したがって割込送信部１９は、いずれかの端末に対する呼出信号の後の応答信号のタイミングで他の端末のいずれかから送信された応答信号を破壊するブレーク信号を電流信号として伝送路６に送出することで割込信号の送信を行う。
【００３５】
感知器用中継器１の割込送信部１９に対応して、受信機１０の受信機用ＭＰＵ１１には割込処理部１６が設けられる。割込処理部１６は呼出信号に対する応答信号のタイミングのみで通常の端末応答信号では得られない特異な信号例えばオール１を受信したときに、いずれかの端末からの割込信号を受信したものと判断する。
【００３６】
割込処理部１６で感知器用中継器１からの割込信号の受信が判別されると、呼出制御部１５に対し割込原因の詳細を得るための割込確認要求コマンドＣ２の送信を行わせる。
【００３７】
この割込確認要求コマンドＣ２に対し、感知器用中継器１の呼出応答部１８は、割込詳細情報を送り返す。この割込詳細情報としては例えば割込レベル１〜３を設定しており、最も優先度の高い割込レベル１は火災発信機の検出出力に基づく割り込み、次の割込レベル２は火災感知器３の検出出力に基づく割り込み、更に割込レベル３はアナログ煙感知器６及びアナログ熱感知器７におけるプリアラームに基づく割り込みを示す。
【００３８】
呼出制御部１５を使用して割込レベルとなる割込詳細情報を入手した割込処理部１６は、割込レベルに応じた警報動作を行う。例えば、割込レベル１を受信した場合は、その後の端末特定処理を行わずに直ちに音声警報を行う。その割込レベルに応じた警報動作の後に割込信号を送信した端末を特定するため、グループ検索を開始する。
【００３９】
このグループ検索は、端末アドレスを所定数のグループに分け、グループごとに検索コマンドＣ３を発行して、火災検出の行われた端末を含むグループを特定し、グループが特定できたならばグループ内の端末を順次呼び出して、火災検出を行った端末を特定する。
【００４０】
このグループ検索は、これ以外に２分法等を用いてもよい。図３（Ａ）（Ｂ）（Ｃ）は図１の受信機１０と感知器用中継器１との間の火災検出時の伝送動作のタイムチャートである。
【００４１】
いま図１の感知器用中継器１に端末アドレスＡｉが設定されていたとする。この端末アドレスＡｉをもつ感知器用中継器１から引き出された感知器回線２ａ〜２ｃに接続している火災感知器３のいずれかがアドレスＡ１の呼出信号の後のタイミングで火災検出が行われたとすると、次の受信機１０からのアドレスＡ２の呼出信号に続く応答タイミングで、感知器用中継器１の割込送信部１９は、アドレスＡ２の端末より送信される応答データを破壊してオール１のブレークデータにするための電流信号を伝送路５に出力する。
【００４２】
このため受信機１０は、図３（Ｃ）に示すようにアドレスＡ２からの端末応答信号のタイミングでオール１となるブレークデータとアドレス２の端末からの応答データを合成したデータを受信し、割込信号の受信を判別する。続いて受信機１０は割込確認コマンドＣ２をもつ呼出信号を送信する。
【００４３】
火災検出に基づき割込信号を送出したアドレスＡｉの感知器用中継器１は、割込確認コマンドＣ２に対し割込詳細情報を示す割込レベルを返送する。感知器用中継器１内の火災感知器３の発報であるから割込レベル２の信号を送信する。
【００４４】
割込応答データを受信した受信機１０は、次に検索コマンドＣ３とグループアドレスをＧ１から順次増加させるグループ検索のための呼出信号を順次送信する。このグループ検索のための呼出信号について、割込信号を送出した感知器用中継器１を含むグループアドレスの指定があると、グループ検索に対する応答信号として割込レベルが感知器用中継器１の割込送信部から送信される。
【００４５】
これによって受信機１０側にあっては、割込信号を送出したグループアドレスを認識する。続いて受信機１０は、検索コマンドＣ３及びグループ内の個別アドレスＡ１，Ａ２，・・・を順次指定した個別アドレス検索のための呼出信号を順次送出する。
【００４６】
この個別アドレス検索のための呼出信号に対し、割込信号を送出した感知器用中継器１のアドレスＡｉに呼出アドレスが一致すると、応答信号として同じく割込レベルを返送し、これによって受信機１０において割込信号を送出した端末がアドレスＡｉの感知器用中継器１であることが認識される。
【００４７】
続いて発報した端末が感知器用中継器１であると判定した場合に、受信機１０は感知器用中継器１の感知器回線の中の発報した火災感知器の個別アドレスを検索するための個別アドレス検索コマンドＣ４を含む呼出信号を送信する。
【００４８】
感知器用中継器１にあっては、回線発報を受信した際に発報した火災感知器の個別アドレスの自動検索が開始されており、個別アドレス検索コマンドＣ４を受信した際に個別アドレスが検索できていれば、発報した火災感知器の個別アドレスデータＤ１を受信機に応答し、これによって受信機１０で火災感知器用中継器１からの感知器回線に接続した発報火災感知器のアドレスを表示することができる。
【００４９】
このため感知器用中継器１には、感知器回線２ａ〜２ｃのいずれかの火災感知器３が火災検出により発報して発報信号が受信された際に、発報回線の感知器アドレスを自動的に検索するための発報検索部２０を設けている。この感知器用中継器１の発報検索部２０に対応して、感知器回線２ａ〜２ｃに接続している複数の火災感知器３の各々には、火災発報状態で発報検索部２０からの検索信号を判別した際に発報状態の有無を示す検索応答信号を返送する検索応答部を設けている。
【００５０】
更に本発明にあっては、感知器用中継器１に遠隔試験部２１を設けている。遠隔試験２１は受信機１０の定期点検部１７に基づく試験コマンドを受信した際に動作し、発報検索部２０における火災感知器３の検索機能を利用した遠隔試験を複数の火災感知器３に対し順次行って試験発報を行わせる。この遠隔試験部２１に対応して火災感知器３の各々には、試験信号に基づいて疑似的な試験発報動作を行う試験回路部が設けられる。
【００５１】
なお、以上の割込信号送信動作及びグループ検索Ｃ２、個別アドレス検索Ｃ３に対する応答の動作はアナログ煙感知器６等の他の端末も同様の動作を行う。但し、発報した端末が感知器用中継器１以外の端末の場合は、受信機１０はその後の個別アドレス検索コマンドＣ４の送信は行わない。
【００５２】
図４は図１の感知器用中継器１の実施形態を示した回路ブロック図である。感知器用中継器１には中継器用ＭＰＵ３０が設けられる。中継器用ＭＰＵ３０に対しては、伝送表示灯３２を備えた送受信回路３１、及びアドレス設定スイッチ３４を備えたアドレス設定回路３３が設けられる。
【００５３】
中継器用ＭＰＵ３０には、図１に示した呼出応答部１８、割込送信部１９、発報検索部２０及び遠隔試験部２１としての機能が設けられる。
【００５４】
感知器用中継器１は、図１の受信機１０に対し、電源線Ｖ、伝送線Ｓ、コモン線ＳＣの３線で接続される。電源線Ｖは定電圧回路２２に接続され、火災感知器３側に２４ボルトの一定電圧を供給する。伝送線Ｓは定電圧回路２３に接続され、中継器用ＭＰＵ３０に対する電源電圧＋３．２ボルトを出力する。
【００５５】
定電圧回路２２に続いては電流制限回路２５が設けられる。続いて検索回路部２６−１，２６−２，２６−３が設けられ、感知器回線２ａ〜２ｃが引き出され、複数の火災感知器３が接続されているが、説明を簡単にするため、最終端の火災感知器３と終端器４のみを示している。
【００５６】
検索回路部２６−１〜２６−３は、電圧制御回路２７、出力バッファ回路２８及び電圧検出回路２９を備えている。電圧検出回路２９の検出電圧は中継器用ＭＰＵ３０に入力され、ＡＤ変換器３６によりデジタルデータとして取り込まれ、発報検索部２０の検索処理に使用される。
【００５７】
通常の監視状態において、感知器回線Ｌ，Ｃ間の電圧は定電圧回路２２の出力電圧で決まる２４ボルトにある。この状態でいずれかの火災感知器３で火災検出が行われると、感知器回線Ｌ，Ｃ間が低インピーダンスに短絡されて発報電流が流れ、これによって感知器回線Ｌ，Ｃ間の線間電圧は例えば１０ボルトに低下する。
【００５８】
このため電圧検出回路２９の検出電圧を中継器用ＭＰＵ３０にデジタルデータとして取り込んで監視することで、通常時の２４ボルトから１０ボルトに変化したことで感知器回線の発報受信を認識することができる。このように中継器用ＭＰＵ３０において感知器回線の発報受信が検出されると、発報した感知器回線に対応して設けている検索回路部、例えば検索回路部２６−１を動作して、発報した感知器回線Ｌ，Ｃに接続している火災感知器３に対し検索信号を出力させる。
【００５９】
火災感知器３には感知器用中継器１からの発報検索に対応して検索応答回路部２４ａを設けている。この検索応答回路部２４ａとして本発明の実施形態にあっては、後の説明で明らかにするように不揮発性メモリであるＥＥＰＲＯＭとそのインタフェース回路が設けられている。
【００６０】
このため検索回路部２６−１は、火災感知器３側の検索応答回路部２４ａに設けているＥＥＰＲＯＭの予め定めた所定アドレスを指定した読出動作を行い、感知器回線に接続している複数の火災感知器に固有な感知器番号データの並列読出しを行わせ、発報感知器で感知器番号データが読み出されたタイミングで発報電流を保持電流に低下させ、この保持電流への低下に伴う線間電圧の増加を電圧検出回路２９で検出し、中継器用ＭＰＵ３０で発報した感知器アドレスを検出できるようにしている。
【００６１】
発報した感知器回線に対応する検索回路部２６−１に設けている電圧制御回路２７は、火災感知器３側のＥＥＰＲＯＭの読出動作に必要なクロック及びデータを電圧信号に変換し、出力バッファ回路２８を介して感知器回線Ｌ，Ｃ間に呼出信号として送出する。
【００６２】
このため電圧制御回路２７に対しては、中継器用ＭＰＵ３０より発報検出に基づくデータビット０信号及びデータビット１信号が加えられ、これに基づき感知器発報状態で例えば２４ボルトから１０ボルトに電圧が低下している感知器回線Ｌ，Ｃ間に出力バッファ回路２８を介して電圧モードで検索信号を送出する。
【００６３】
一方、感知器用中継器１の中継器用ＭＰＵ３０には遠隔試験部２１の機能が設けられる。遠隔試験部２１は受信機１０から試験コマンドを受信した際に、検索回路部２６−１〜２６−３を使用し、回線ごとに複数の火災感知器３の試験発報を順次行い、試験結果を受信機１０に応答する。この遠隔試験部２１に対応して、火災感知器３側には試験回路部２４ｂが設けられている。
【００６４】
中継器用ＭＰＵ３０に設けた遠隔試験部２１は、試験制御部の機能と試験結果判定部の機能を備える。試験制御部としての機能は、火災感知器３側に設けているＥＥＰＲＯＭの所定アドレスの指定による各火災感知器からの固有の感知器番号データの並列的な読出しにより感知器番号順に遠隔試験を行わせる。
【００６５】
また試験結果判定部としての機能は、試験制御部の機能により複数の火災感知器の試験動作が行われたときの感知器回線の状態に基づき、全ての試験結果が正常に得られた場合には正常と判断し、少なくとも１つの火災感知器の試験結果が異常である場合には試験結果異常であることを判断し、受信機１０側からのサンプリングコマンドの呼出タイミングで試験結果を応答する。
【００６６】
図５は図４の感知器用中継器１に接続される火災感知器３の実施形態を示した回路ブロック図である。
【００６７】
火災感知器３は感知器回線Ｌ，Ｃの接続端子に続いて、整流ノイズ吸収回路３８、発報回路３９、電源回路４０、信号処理回路４１及び検出回路４２を設けている。検出回路４２は、火災による煙や熱に応じた検出信号を信号処理回路４１に出力する。
【００６８】
信号処理回路４１は、検出信号が予め定めた火災判定の閾値を超えたときに発報回路３９に火災信号を出力し、発報回路３９のスイッチングにより感知器回線Ｌ，Ｃを低インピーダンスに短絡してラッチすることで発報電流を流し、発報信号を感知器用中継器１側に送出する。
【００６９】
信号処理回路４１は、検出回路４２による煙や熱の検出に対応した信号処理を行う。例えば検出回路４２が発光素子の間欠発光で煙による散乱光を検出する散乱光式煙検出回路の場合には、間欠発光で得られる火災検出信号の２カウントで発報回路２２を動作してラッチすることで発報信号を送出する。またサーミスタ等の熱検出にあっては、コンパレータにより火災判断の閾値を超えたときに発報回路３９をラッチし発報信号を出力する。
【００７０】
このような火災感知器の基本的回路に加えて本発明にあっては、発報検索に応答するための発報応答回路と、試験信号に対する試験動作を行うための試験回路部を含む検索応答試験回路部２４を設けている。
【００７１】
検索応答試験回路部２４は、線路電圧検出回路４３、クロックデータ検出回路４４、不揮発性メモリとしてのＥＥＰＲＯＭ４５、機能切替スイッチ４６、電流制限回路４７、立下がり検出回路４９及び復旧回路５０で構成される。
【００７２】
線路電圧検出回路４３は、通常時の感知器回線Ｌ，Ｃ間の電圧が２４ボルトの場合は試験モードを設定し、火災検出時の発報状態における１０ボルトでは検索モードを設定する。即ち通常の監視状態にあってはＬ，Ｃ間電圧は２４ボルトであり、線路電圧検出回路４３は通常時の線間電圧２４ボルトを検出して検索応答試験回路部４８を遠隔試験モードの待機状態としている。
【００７３】
具体的には、Ｌ，Ｃ間電圧が１５ボルト以上であることを検出して通常の火災のない状態と判断し、このときの線路電圧検出信号によってクロックデータ検出回路４４のクロックとデータを検出するための閾値を高電圧側の１８ボルトと２１ボルトに設定している。
【００７４】
これに対し、火災発報によりＬ，Ｃ間電圧が１０ボルト以下になると、１０ボルト以下への電圧低下を線路電圧検出回路４３で検出し、このときの検出信号によってクロックデータ検出回路４４のクロックとデータを検出するための閾値を低電圧側の１０ボルトと７ボルトに切り替える。
【００７５】
また通常状態で線路電圧検出回路４３が１５ボルト以上の線間電圧を検出したときに検出信号により、機能切替スイッチ４６を制御してＥＥＰＲＯＭ４５の出力を試験回路４８に接続している。
【００７６】
これに対し火災発報で線間電圧が１０ボルト以下に低下したことを検出したときの線路電圧検出回路４３の検出信号により、機能切替スイッチ４６を切替制御してＥＥＰＲＯＭ４５の出力を電流制限回路４７に接続する。
【００７７】
更に火災発報状態で線路電圧検出回路４３から出力される検出信号は、信号処理回路４１にリセット信号として供給され、信号処理回路４１のリセットにより発報回路３９に対し、これ以上信号を送らないようにしている。このため火災発報となっていない他の火災感知器においても線路電圧検出回路４３からの検出信号による信号処理回路４１のリセットが同様に行われ、他の火災感知器の検出回路４２で検出信号が火災レベルに達しても、それ以上の発報動作を禁止し、同一回線での２報以上の発報を禁止する。
【００７８】
これは、同一回線で２個以上火災感知器が発報すると、感知器回線Ｌ−Ｃ間の電圧が変動して、後述する試験モードや検索モード時の電圧変動による伝送が正常に動作しなくなるためである。
【００７９】
この図５の火災感知器３における発報状態でのクロック及びデータの検出は、図６のタイミングチャートのようになる。
【００８０】
図６（Ａ）のように、通常時にＬ−Ｃ間電圧は２４ボルトとなっているが、いずれかの火災感知器３が発報してＬ−Ｃ間が短絡すると、Ｌ−Ｃ間電圧は受信機内部回路や感知器内部インピーダンスによって決まる１０ボルトに低下する。この発報状態で感知器用中継器１側より電圧制御によってクロックとデータを重畳した電圧信号が検索信号として送られ、火災感知器３側にあっては４ボルトを規定値として７ボルトまたは１０ボルトで変化する電圧パルスを受信する。
【００８１】
このうち４〜７ボルトの電圧が図６（Ｂ）のクロックとして検出される。また７〜１０ボルトの電圧が図６（Ｃ）のデータとして検出される。ここで感知器用中継器１の中継器用ＭＰＵ３０からの電圧制御回路２７への信号「０」，「１」の信号送出により、Ｌ−Ｃ間電圧は、データは１０ボルトがビット０、７ボルトがビット１となっている。
【００８２】
図６（Ｃ）のデータはダミークロック「００」に続いてスタートビット「１」があり、続いて読出オペコード「１０」となり、その後ろにＥＥＰＲＯＭ４５内のアドレス３８を指定するアドレスビットＡ５〜Ａ０として「１００１１０」を設けている。
【００８３】
続いて３２ビットのデータビットＤ３１〜Ｄ０が設けられる。データビットＤ３１〜Ｄ０には、３２ビットデータのうちの特定１ビットをデータビット「１」とする火災感知器固有の感知器番号データが予め書き込まれている。例えばデータビットＤ１〜Ｄ３１の順に、感知器番号Ｎｏ．１〜Ｎｏ．３２に対応した感知器番号データのデータビット「１」が順次格納されている。
【００８４】
ここで感知器番号Ｎｏ．３の火災感知器を例にとると、ＥＥＰＲＯＭ４５のアドレス３８には感知器番号データがデータビットＤ２に斜線部で示すようにデータビットを「１」とし、他のデータビットを全て「０」として記憶されている。
【００８５】
このような図６（Ｂ）のクロックに同期した図６（Ｃ）のデータによる読出しでＥＥＰＲＯＭ４５は、データビットＤ３１〜Ｄ０の順にクロックに同期してシリアルビット出力を生じ、感知器番号Ｎｏ．３の火災感知器ではデータビットＤ３１〜Ｄ３までは「０」のシリアルビット出力であるから機能切替スイッチ４６へは何も出力されないが、データビットＤ２のタイミングにあっては「１」のシリアルビット出力となり、この出力「１」によって図６（Ｄ）に示すように発報電流を保持電流以下に低下させ、発報感知器応答信号を感知器用中継器１側に送出する。
【００８６】
具体的には図５のＥＥＰＲＯＭ４５からのシリアルビット出力「１」を電流制限回路４７に出力し、このとき流れている３０ミリアンペアの発報電流を電流制限回路４７により１ミリアンペアの保持電流に制限する。この発報感知器応答電流としての発報電流を保持電流に制限することに伴い、図６（Ａ）のＬ−Ｃ間電圧は１８ボルト付近に増加する電圧パルスとなり、これを図４に示した電圧検出回路２９で検出し、中継器用ＭＰＵ３０のＡＤ変換器３６で取り込むことで、発報感知器の発報応答信号を受信することができる。
【００８７】
図６に示したクロックとデータに基づくデータビットのアドレス３８の指定によるＥＥＰＲＯＭの読出動作は、発報した感知器回線に接続している全ての火災感知器３で同時に並行して一斉に行われており、そのうち発報した火災感知器は１つのみであることから、発報した火災感知器でデータビット「１」を読み出したタイミングで発報応答電流（保持電流）が流れ、これを図４の電圧検出回路２９で検出して中継器用ＭＰＵ３０の発報検索部２０に通知することで、何番目のデータビットのカウントで応答電流が得られたかが分かり、これによって発報した火災感知器の個別アドレスを認識することができる。
【００８８】
図７は図４の感知器用中継器１と図５の火災感知器３との間で火災発報時に自動的に行われる感知器個別アドレスを検索するための検索処理のタイムチャートである。
【００８９】
図７において、感知器用中継器１は、通常の監視状態にあっては、受信機１０からのポーリングコマンドＣ１による呼出しに対し、そのときの感知器回線の非発報状態を示す応答データを返送している。この状態で火災感知器３でステップＳ１０１のように火災が発生したとすると、ステップＳ１０２で火災感知器３の検出回路４２からの火災検出信号により信号処理回路４１が発報回路３９をラッチし、発報電流を感知器回線Ｌ，Ｃ間に流すことで発報信号を感知器用中継器１に送出する。
【００９０】
この火災感知器３からの発報信号を受信した感知器用中継器１は、中継器用ＭＰＵ３０の割込送信部１９により送受信回路３１を動作して、受信機１０に対しそのときの呼出信号の応答タイミングで他の端末からの応答データを破壊するブレーク信号を送出することで、割込信号を送信する。この割込送信による受信機１０側の処理は、図３（Ａ）〜（Ｃ）に示したようになる。
【００９１】
感知器用中継器１は発報信号を受信すると同時に中継器用ＭＰＵ３０の発報検索部２０を起動し、ステップＳ３で、発報した感知器回線に対応した検索回路部例えば検索回路部２６−１の電圧制御回路２７を動作し、発報した感知器回線にアドレス検索信号を送信する。このアドレス検索信号の送出によって、発報した感知器回線Ｌ−Ｃ間の電圧は図６（Ａ）のように変化する。
【００９２】
ステップＳ１０２で発報信号を送出した火災感知器３は、次のステップＳ１０３で火災感知器３の線路電圧検出回路４３による発報時の線路電圧の低下を判断し、信号処理回路４１のリセットで同一回線の２報以上の発報禁止を行う。同時にステップＳ１０４でクロックデータ検出回路４４の閾値を低電圧側の７ボルトと１０ボルトに切り替える。更にステップＳ１０５で、ＥＥＰＲＯＭ４５の出力を機能切替スイッチ４６の制御で電流制限回路４７に接続するように切り替える。
【００９３】
感知器用中継器１のステップＳ３で発報回線に送出されたアドレス検索信号は、火災感知器３においてステップＳ１０６で受信され、線間電圧からクロックとデータをクロックデータ検出回路４４により検出し、感知器用中継器からのＥＥＰＲＯＭ４５内のアドレス３８のデータ読出信号をＥＥＰＲＯＭ４５に供給して読出動作を行う。
【００９４】
この読出動作により、ステップＳ１０７でクロックデータに合わせてアドレス３８に記憶されたデータを１ビットずつ出力し、自己アドレス即ち感知器番号データに対応するデータビットのシリアル出力「１」に同期して電流制限回路４７を動作し、３０ミリアンペアの発報電流を１ミリアンペアの保持電流に制限することで、発報感知器の検索応答を感知器用中継器１に対し行う。
【００９５】
この火災感知器３における発報電流の保持電流への低下により発報回線Ｌ−Ｃ間電圧は、図６（Ａ）のデータビットＤ２のタイミングに示すように約１８ボルト付近に増加し、これによって感知器用中継器１の中継器用ＭＰＵ３０に設けた発報検索部２０は、データビットＤ３１〜Ｄ０までのクロックを出力する検索ポーリングのカウント値により、発報した感知器の個別アドレスを認識し、受信機１０側からの呼出しに対する応答データとして保持する。
【００９６】
図６（Ａ）に示した発報感知器のアドレス検索の際のＬ−Ｃ間電圧のタイミングチャートは図３（Ｄ）にも示しており、この検索信号による感知器アドレスの検索で発報感知器のアドレスが検出され、同時に図３（Ａ）の受信機１０からのグループ検索、グループ検索に続く個別アドレス検索で割込送信を行った感知器アドレスが特定され、個別アドレス検索コマンドＣ４の呼出信号を受信した際に、図３（Ａ）のアドレス検索で得られている発報した火災感知器のアドレスデータＤ１を含む応答信号を図３（Ｂ）のように受信機１０に返送する。
【００９７】
このため図１の受信機１０にあっては、感知器用中継器１からの火災検出に基づく割込信号の送信に対し、アドレス検索後の個別アドレス検索コマンドＣ４を含む呼出信号の送出に対し、感知器回線２ａ〜２ｃのうちの発報回線例えば発報回線２ａの中の複数の火災感知器３のうちの発報している火災感知器のアドレスを認識し、表示部１２に感知器アドレスを表示することができる。
【００９８】
また、回線内の火災感知器のアドレスと設置場所の変換テーブルが受信機に記憶されていれば、感知器アドレスだけではなく設置場所を表示しても良い。なお、感知器用中継器１でもアドレスを表示させても良い。
【００９９】
次に図５の火災感知器３について、図４の感知器用中継器１から試験信号を受信した際の遠隔試験処理を説明する。まず通常の監視状態にあっては、Ｌ−Ｃ間電圧は２４ボルトであり、線路電圧検出回路４３は通常時の線間電圧２４ボルトを検出して火災感知器３を遠隔試験モードの待機状態としている。
【０１００】
具体的にはＬ−Ｃ間電圧が１５ボルト以上であることを検出して通常の火災のない状態と判断し、このときの線路電圧検出信号によってクロックデータ検出回路４４のクロックとデータを検出するための閾値を高電圧側の１８ボルトと２１ボルトに設定している。
【０１０１】
また通常状態で線路電圧検出回路４３が１５ボルト以上の線間電圧を検出したときの検出信号により、機能切替スイッチ４６によってＥＥＰＲＯＭ４５の出力を試験回路４８及び立下がり検出回路４９に接続している。
【０１０２】
ＥＥＰＲＯＭ４５は遠隔試験の際には、図４の感知器用中継器１より送出される試験信号としての電圧パルスに基づき、クロックデータ検出回路４４で得られたクロック及びデータの供給を受けてアドレス３８の読出動作を行い、自己アドレスに一致する感知器番号データのデータビット「１」のシリアル出力を機能切替スイッチ４６を介して試験回路４８に供給することで試験動作を行わせる。
【０１０３】
試験回路４８はＥＥＰＲＯＭ４５からの感知器番号に対応したタイミングでのデータビット「１」のシリアル出力を受けると、まず検出回路４２に設けている検出素子の断線をチェックし、検出素子が正常な場合には検出回路４２を強制的に作動させて試験発報させる。
【０１０４】
このとき試験回路４８は信号処理回路４１を試験モードに制御しており、検出回路４２の試験発報による検出信号をそのまま発報回路３９に出力して起動ラッチさせ、瞬時的に試験発報による発報信号が送出できるようにする。
【０１０５】
つまり、例えば光電式煙感知器の場合は、通常監視時は検出回路４２からの検出信号を２回カウントした場合に発報回路３９を作動させるが、試験回路４８からの試験信号を受信した場合は、検出回路４２からの１回の検出信号で発報回路３９を作動させる。
【０１０６】
立下がり検出回路４９は、試験回路４８を動作する感知器番号データに対応したシリアルビット「１」の出力の立下がりを検出し、この立下がりのタイミングで復旧回路５０を動作して発報回路３９のラッチを解除し、試験発報を終了させる。したがって試験発報による発報電流は、ＥＥＰＲＯＭ４５から出力される感知器番号に対応したデータビット「１」が出力している間、具体的にはクロックパルスの立ち上がっている時間だけ流れる。
【０１０７】
図８は図５の火災感知器３における遠隔試験時のタイミングチャートである。遠隔試験時にあっては、図８（Ａ）のようにＬ−Ｃ間電圧は通常監視時の２４ボルトであり、試験信号として感知器用中継器１側より１５ボルト、１８ボルト、２４ボルトで変化する電圧パルスが送られてくる。
【０１０８】
このＬ−Ｃ間電圧について、クロックデータ検出回路４４は閾値電圧１８ボルトと２４ボルトの設定により、図８（Ｂ）のように１５〜１８ボルトの電圧変化でクロックを検出し、図８（Ｃ）のように１８〜２１ボルトの電圧変化でデータを検出する。
【０１０９】
図８（Ｃ）のデータにあっては、ダミークロック「００」、スタートビット「１」、読出オペコード「１０」、アドレス３８を示すアドレスビットＡ５〜Ａ０として「１００１１０」、更に遠隔試験のポーリング開始から終了までのデータビットＤ３１〜Ｄ０を出力している。
【０１１０】
図８（Ｄ）（Ｅ）（Ｆ）は、感知器回線に接続している３番感知器、２番感知器及び１番感知器の３台の火災感知器を例にとって試験発報の応答電流を示している。ここで３番感知器にあってはＥＥＰＲＯＭ４５のアドレス３８のデータビットＤ２にビット「１」を書き込んでおり、他のデータビットはビット「０」を書き込んである。２番感知器にあってはデータビットＤ１にビット「１」を書き込んでおり、更に１番感知器にあってはデータビットＤ０にビット「１」を書き込んでいる。
【０１１１】
このため３番感知器、２番感知器、１番感知器のそれぞれに設けているＥＥＰＲＯＭ４５は、クロック及びデータによって並列的に読出動作を受け、データビットＤ３１〜Ｄ０の順番にシリアルビット出力を行う。これにより、データビットＤ３１〜Ｄ３のタイミングにおいては３つの感知器はビット「０」を出力するから試験回路４８は動作しないが、データビットＤ２のタイミングで図８（Ｄ）の３番感知器の試験発報が行われ、発報回路３９を駆動して３０ミリアンペアに立ち上がる試験発報の応答電流を送出する。
【０１１２】
そして、データビットＤ２の立ち下がりで立ち下がり検出回路４９が復旧回路５０を駆動して３番感知器は復旧して、感知回線Ｌ−Ｃの電流が通常電流に低下する。
【０１１３】
次のデータビットＤ１のタイミングでは、図８（Ｅ）の２番感知器の試験発報がＥＥＰＲＯＭ４５からのシリアルビット「１」の出力で行われる。このとき２番感知器に異常があれば試験発報の応答電流は出力されない。続いて図８（Ｆ）の１番感知器の試験発報がＥＥＰＲＯＭ４５からのデータビット「０」のシリアルビット「１」の出力で行われ、試験発報が正常に行われて発報電流を送出する。
【０１１４】
よって感知器用中継器１は試験発報による応答電流を受信することで火災感知器が正常であることが判り、応答電流を受信しなかった場合は、そのデータビットに「１」が設定された火災感知器が異常であることが判る。
【０１１５】
図９は、図４の感知器用中継器１と図５の火災感知器３における遠隔試験動作のタイムチャートである。
【０１１６】
図９において、感知器用中継器１は、ステップＳ１で、図１に示した受信機１０の定期点検部１７からの試験コマンドを受信し、感知器用中継器１の中継器用ＭＰＵ３０に設けている遠隔試験部２１を起動して遠隔試験を開始する。この遠隔試験にあっては、感知器用中継器１に接続している感知器回線の数ｍと１回線の感知器数ｎが初期設定等により予め判明している。
【０１１７】
続いてステップＳ２で回線番号ｊをｊ＝０に初期化し、ステップＳ３でＬ−Ｃ間電圧が１５ボルト以上か否かチェックする。もし、いずれかの火災感知器３で火災発報があれば、Ｌ−Ｃ間電圧は１５ボルト以下であり、この場合には図７に示した火災処理に進む。
【０１１８】
線間電圧が１５ボルト以上であればステップＳ４に進み、火災感知器３側のＥＥＰＲＯＭ４５のアドレス３８の読出動作を行うための試験信号を電圧パルスによって火災感知器３側に送出する。具体的には、図８（Ａ）に示すようにＬ−Ｃ間電圧を試験信号の送出により変化させる。
【０１１９】
一方、火災感知器３にあっては、試験前の通常監視時にはステップＳ１０１のようにＬ−Ｃ間電圧の１５ボルト以上の検出によりクロックデータ検出回路４４の閾値を高電圧側の１８ボルトと２１ボルトに設定し、またステップＳ１０２でＥＥＰＲＯＭ４５の出力を試験回路４８と立下がり検出回路４９に接続するように機能切替スイッチ４６を制御している。
【０１２０】
この状態で感知器用中継器１より試験信号を受信すると、ステップＳ１０３で試験信号をクロックデータ検出回路４４によりデータとクロックに分けてＥＥＰＲＯＭ４５に供給し、アドレス３８に記憶されているデータの読出動作を行う。
【０１２１】
この読出動作により、ステップＳ１０４で自己アドレス、即ち感知器番号データに対応したタイミングのデータビット「１」のシリアル出力により試験回路４８を動作する。試験回路４８は、まず検出回路４２の検出素子の断線を確認した後に、正常であれば検出回路４２を強制的に動作して火災時と同じ検出信号を疑似的に出力させ、ステップＳ１０５で試験回路４８の試験信号により試験モードとしている信号処理回路４１を介して疑似的に火災検出状態と同じ検出信号を発報回路３９に出力し、試験発報のための起動ラッチを行う。
【０１２２】
このため、感知器用中継器１に対し試験発報による発報電流が流れる。続いて火災感知器３は、ステップＳ１０６で立下がり検出回路４９によるＥＥＰＲＯＭ４５からのデータビット「１」のパルス信号の立下がり検出で復旧回路５０を動作し、発報回路３９のラッチを解除することで、試験による発報電流を停止する。
【０１２３】
感知器用中継器１は、ステップＳ６で火災感知器３の試験発報をチェックしており、発報電流に基づいて試験発報を検出すると、ステップＳ８で感知器番号ｉを１つカウントアップし、ステップＳ９で感知器番号ｉが１回線の感知器数ｎに達していなければ、ステップＳ６に戻り、次の試験発報を待つ。ステップＳ６で試験発報がなかった場合には、ステップＳ７で異常感知器としてのアドレスをラッチする。
【０１２４】
ステップＳ９で感知器番号が１回線の感知器数ｎに達すると、ステップＳ１０に進み、次の回線に切り替え、ステップＳ１１で回線番号ｊを１つアップし、ステップＳ１２で回線数ｍに達していなければ、ステップＳ３に戻り、次の感知器回線について同様な遠隔試験を繰り返す。ステップＳ１２で回線番号ｊが回線数ｍに達すると、ステップＳ１３に進み、受信機１０に対し試験結果を応答する。この試験結果の応答は、感知器用中継器１に対する受信機１０からの呼出信号の応答タイミングで行われる。
【０１２５】
受信機はこの試験結果により、正常であった場合は試験が正常に終了したことの表示もしくは印字し、異常な感知器があった場合は、異常の感知器が接続されている感知器用中継器１のアドレスと火災感知器のアドレスもしくは設置場所を表示もしくは印字する。
【０１２６】
図１０は図１の本発明の火災報知システムにおける受信機１０の制御処理のフローチャートである。
【０１２７】
図１０において受信機１０の電源を投入すると、まずステップＳ１でイニシャライズを行い、呼出アドレスＡをＡ＝１の初期アドレスにセットする。続いてステップＳ２で呼出コマンドＣ１、初期アドレスＡ＝１とした呼出信号を送信し、端末応答に対し次のステップＳ３で火災検出に基づく割込信号としてのブレークデータか否かチェックする。ブレークデータでなければ通常の応答信号が受信されたことから、ステップＳ５に進んで呼出アドレスＡを１つインクリメントし、受信データをメモリに書き込む等の通常のデータ処理を行う。
【０１２８】
続いてステップＳ７で最終アドレスか否かチェックし、最終アドレスでなければステップＳ２に戻って次の呼出アドレスによる呼出しを行う。一方、最終アドレスであれば、ステップＳ８でアドレスＡをＡ＝１にイニシャライズした後、ステップＳ２に戻って最初から端末呼出しを繰り返す。
【０１２９】
ステップＳ３でブレークデータが受信された場合には、ステップＳ１０に進み、端末に対し割込確認コマンドＣ２による割込確認要求を行い、この割込確認要求に対し端末より割込レベルを示す割込応答データが受信されると、ステップＳ１２の割込検索処理を行い、火災検出を行った端末を特定して受信データを受信し、ステップＳ６でデータ処理を行う。
【０１３０】
図１１は図１０のステップＳ１２の割込検索処理の詳細を示したフローチャートである。この割込検索処理にあっては、まずステップＳ１でグループアドレス検索のためのカウンタを１にセットする。次にステップＳ２でグループアドレスの検索コマンドＣ３を送信する。
【０１３１】
即ち、グループ１に異常検出を行った端末があるか否かの応答をグループ１の端末に求める。ここでステップＳ３により応答データの有無がチェックされ、応答データがなければ、ステップＳ１１によりカウンタを１つインクリメントし、更にステップＳ１２でカウンタがグループ数以下か否かをチェックする。
【０１３２】
カウンタがグループ数以下であればステップＳ２の処理に戻り、次のグループを検索する。またカウンタがグループ数に達すれば、この割込みにおけるグループアドレスの検索処理は終了する。
【０１３３】
一方、ステップＳ３において、当該グループからの応答データがあった場合には端末個別アドレスの検索へと進む。端末個別アドレスの検索も、カウンタを１つずつインクリメントすることによりグループ内の各端末の応答を求める処理を行う。即ち、当該グループ内のいずれの端末が異常検出を行ったかを特定する。
【０１３４】
この端末個別アドレスの検索は、ステップＳ４で、検索を行うグループ内の先頭の端末個別アドレスをカウンタにセットする。次にステップＳ５で個別アドレスの検索コマンドＣ３を送信する。ステップＳ６で応答データの有無がチェックされ、応答があった場合にはステップＳ７で当該アドレス及びそのデータをセーブする。
【０１３５】
続いてステップＳ８で個別アドレス特定終了の有無をチェックし、終了していない場合にはステップＳ９で個別アドレス検索用のカウンタを１つインクリメントし、ステップＳ１０でグループ内の最大アドレスに達していない場合には、再びステップＳ５に戻り、検索コマンドによる個別アドレスの検索を繰り返す。
【０１３６】
またステップＳ１０でカウンタがグループ内の最大アドレスを超えた場合にはステップＳ１１に進み、グループアドレスを検索するためのカウンタを１つインクリメントし、次のグループについての検索を行う。これによって複数グループでの２報以上に対し検索処理を行うことができる。
【０１３７】
一方、ステップＳ８で端末個別アドレスの特定終了を判別した場合には、ステップＳ１３に進み、端末個別アドレスは図４に示した感知器用中継器１か否かチェックする。端末個別アドレスが感知器用中継器１であった場合には、ステップＳ１４に進み、感知器用中継器１内の発報感知器を検索する個別アドレス検索コマンドＣ４を送信し、ステップＳ１５で感知器用中継器１より発報感知器の個別アドレスの応答があれば、特定を終了する。
【０１３８】
図１２は図１の火災報知システムにおける端末側の感知器用中継器１の制御処理を示したフローチャートである。
【０１３９】
図１２において、まずステップＳ１で受信機１０からの呼出信号の有無をチェックしており、呼出信号を受信するとステップＳ２で受信データをデータバッファにラッチした後、ステップＳ３で呼出コマンドか否かチェックする。
【０１４０】
呼出コマンドであればステップＳ４に進み、火災検出があるか否かチェックする。火災検出があればステップＳ５でブレーク信号を受信機１０に送出する。火災検出でない場合にはステップＳ６で受信データの呼出アドレスと自己アドレスのアドレス一致照合を行い、一致が得られればステップＳ７で感知器回線２ａ〜２ｃの非発報状態を示す応答信号を送信する。
【０１４１】
ステップＳ５で火災検出に基づいてブレーク信号を送出した場合には、受信機１０より割込確認のための呼出信号が送出されるため、ステップＳ３からステップＳ８に進んで割込確認コマンドを判別する。次にステップＳ９で火災検出の有無を判別し、火災検出があれば、ステップＳ１０で割込レベルを送信する。図１の感知器用中継器１の火災検出は火災感知器３によるものであることから、割込レベル２を送信することになる。
【０１４２】
ステップＳ１０の割込レベルを示す端末応答信号の送信に対し、受信機１０からはグループ検索のための呼出信号が送られてくるため、ステップＳ１１でグループアドレスを検索する検索コマンドＣ３を判別する。次にステップＳ１２で火災検出の有無を判別し、火災検出であれば、ステップＳ１３で検索コマンドに続くグループアドレスの一致照合を行い、グループアドレスが一致すれば、ステップＳ１０の割込レベルをグループ応答信号として送信する。
【０１４３】
このグループ応答に対し更に受信機１０より、特定したグループ内の個別アドレスを検索するための検索コマンドＣ３が送られてくる。ステップＳ１４でグループ内の個別アドレスの検索コマンドＣ３を判別すると、ステップＳ１５で火災検出の有無をチェックする。
【０１４４】
火災検出であればステップＳ１６でアドレス一致を判別したとき、ステップＳ１７に進んで、火災検出情報を含む応答信号を送信し、これにより受信機１０側で火災を検出した感知器用中継器１を特定することができる。
【０１４５】
このようにして火災を検出した感知器用中継器１が特定されると、受信機１０からは感知器用中継器１内の発報した火災感知器を検索する検索コマンドが送られてくるので、図１３のステップＳ１８で検索コマンドＣ４を判別し、ステップＳ１９で火災検出ありをチェックした後、ステップＳ２０でアドレス一致を判別し、ステップＳ２１で発報感知器の特定済みか否かチェックする。
【０１４６】
ここで感知器発報を受信した感知器用中継器１にあっては、受信機１０との送受信に並行して、発報受信と同時に発報検索部２０が自動的に発報した感知器アドレスの検索を自動的に行っており、受信機１０から検索コマンドを受信したタイミングで、発報した火災感知器のアドレス検索が終了していれば、ステップＳ２２に進み、感知器アドレスを示す感知器データを受信機１０に返送する。
【０１４７】
一方、発報した火災感知器のアドレス検索中であったり感知器アドレスが特定できなかった場合には、ステップＳ２３で未特定データを受信機１０に返送する。
【０１４８】
ここで、上記実施形態の感知器用中継器１の発報検索部２０は、火災感知器３の回線発報を受信した際に自動的に起動して、発報した火災感知器のアドレス検索を行うようにしているが、図１３のステップＳ１８に示したように受信機１０から感知器用中継器１内の発報感知器の検索コマンドＣ４を受信した際に感知器用中継器１の発報検索部２０を起動して、発報した火災感知器を特定するアドレス検索を行うようにしてもよい。
【０１４９】
なお、受信機１０での火災警報及び火災表示処理は、感知器用中継器１内の発報した火災感知器が特定されてから行うのではなく、割込信号を送信した感知器用中継器１が特定された段階で、感知器用中継器１のアドレス表示及び警報音鳴動を行うと迅速に火災警報ができて良い。
【０１５０】
また、感知器回線２によっては接続された火災感知器が３２個以上になることも考えられる。その場合はＥＥＰＲＯＭ４５のアドレス３８は３２ビットしか記憶できないから、アドレス３８だけでは全ての感知器を割り当てることができないので、アドレス３８以外の例えばアドレス３９を使用して３３個目以降の感知器にアドレスを設定しても良い。この場合は感知器用中継器１はアドレス３８と３９のデータ読み出しを行う。
【０１５１】
図１４は感知器回線２ａに接続される火災感知器３の他の実施形態を示す内部構成図であり、感知器を天井に取り付けるためのベース部３ａに検索応答試験回路部２４を設けたものである。よって、火災感知器３はベース部３ａ及び火災を検出するセンサ部３ｂからなる。
【０１５２】
センサ部３ｂは本発明の発報検索及び遠隔試験に対応する機能を有しない従来からある感知器と同様のもので、例えば熱感知器として火災の熱の検出で機構的に接点を閉じてセンサ部の端子Ｌ１とＣ１を短絡させるセンサ７０を備えるものである。そして、本発明の発報検索及び遠隔試験に対応する機能はベース部３ａに備えている。
【０１５３】
ベース部３ａに備えた発報検索及び遠隔試験に対応する構成は、図５に示す構成と殆ど同じ構成であるが、センサ７０の発報で端子Ｌ１−Ｃ１間の短絡を監視する受信回路７１を備え、センサ部３ａが発報したときに受信回路７１が火災信号を出力し信号処理回路４１を介して発報回路３９を駆動し感知器回線Ｌ−Ｃ間を短絡させる。発報検索時の動作は他の感知器３と同じである。
【０１５４】
遠隔試験時は試験回路４８が受信回路７１を駆動し強制的に火災信号を信号処理回路４１に出力させる。その後の動作は他の感知器３と同様である。
【０１５５】
このように、火災感知器３の検索応答試験回路部はベース部３ａに設けても良い。
【０１５６】
このような構成であれば、火災感知器３はベース部３ａを設ければ従来からある多種の感知器を任意に接続できる。よって、施工後に後から本発明の機能を備えたシステムを構築する場合はベース部３ａを変更すれば良く簡単に取り替えができ、また取り替え費用を抑えることができる。
【０１５７】
図１５は本発明の火災報知システムにおける感知器用中継器１の他の実施形態であり、この実施形態にあっては感知器用中継器１で回線発報を受信した際に各火災感知器のアドレスを指定して発報検索を行うようにしたことを特徴とする。
【０１５８】
図１５（Ａ）は感知器用中継器１側の構成であり、感知器用中継器１から引き出された感知器回線Ｌ，Ｃ間に複数の火災感知器３Ａ−１〜３Ａ−ｎを接続し、終端に終端抵抗等の終端器４を接続している。火災感知器３Ａ−１〜３Ａ−ｎは、火災による熱または煙を検出した際に感知器回線Ｌ，Ｃ間を低インピーダンスに短絡して発報電流を流し、この発報電流を感知器用中継器１で検出して受信機１０側に対し割込送信を行う。
【０１５９】
感知器用中継器１には図１の実施形態と同様、呼出応答部１８、割込送信部１９、発報検索部２０Ａ、遠隔試験部２１Ａが設けられる。また火災感知器３Ａ−１〜３Ａ−ｎのそれぞれには検索試験応答回路部５０Ａが設けられ、検索試験応答回路部５０Ａとしては、この実施形態にあってはＣＰＵを含む制御回路を使用している。
【０１６０】
呼出応答部１８、割込送信部１９は図１の感知器用中継器１と同じであり、受信機１０からの呼出信号に対し応答を行い、火災検出時には割込送信部１９よりブロックデータを送信し、受信機１０からの発報端末の検索処理を行わせる。
【０１６１】
発報検索部２０Ａは火災感知器３Ａ−１〜３Ａ−ｎのいずれかの火災検出による回線発報を受信して動作し、図１５（Ｂ）に示す検索信号５２を感知器回線Ｌ，Ｃ間に送出する。この検索信号５２として、発報検索部２０Ａは、まず準備信号を送出して火災感知器３Ａ−１〜３Ａ−ｎに検索開始を認識させる。
【０１６２】
続いて検索信号５２の先頭を示すヘッダ信号、発報したことの検索応答の内容を示す制御コード信号、各火災感知器を個別に指定するアドレス信号、検索信号の最後を示すフッタ信号を１つの検索信号フォーマットとし、予め判明している感知器回線Ｌ，Ｃ間に接続している感知器数に対応して順次アドレスを変えながら送出し、最後に伝送終了を示すエンド信号を送出する。
【０１６３】
このような発報検索部２０Ａから検索信号が伝送されている間、各火災感知器３Ａ−１〜３Ａ−ｎの検索試験応答回路部５０Ａは、検索信号の中のアドレス信号が自己のアドレスと一致するか否か判断しており、アドレス一致が得られたときに、制御コード信号で指定された発報状態の有無の検出をフッタ信号のタイミングで行う。
【０１６４】
続いて火災感知器３Ａ−１〜３Ａ−ｎの中のアドレス一致が得られた火災感知器は、感知器用中継器１の発報検索部２０Ａに対し発報応答信号５３を送出する。発報応答信号５３は、先頭を示すヘッダ信号、発報応答の内容を示す応答コード信号、及び最後を示すフッタ信号で構成される。
【０１６５】
ここで発報応答信号５３の中の応答コード信号は、発報状態にあるときには自己アドレスを応答し、発報状態にないときにはアドレスの部分を空白とする。また感知器回線Ｌ，Ｃ間に接続している最終アドレスの火災感知器３Ａ−ｎにあっては、応答コード信号の中に最終アドレスであることを示す信号を含ませる。
【０１６６】
この最終アドレスを示す応答コード信号は、発報状態にないときの空白信号については逆転したオール１の信号として、また発報状態にある場合には自己アドレスを反転した信号とする。この空白反転信号もしくは自己アドレスの反転信号を受信した発報検索部２０Ａは、その時点で検索信号５２の送出を中止し、エンド信号を送出する。
【０１６７】
なお、最終アドレスを示す応答コード信号の送出方法はこれに限定されるものではなく、感知器用中継器１に予め感知器回線毎の火災感知器の接続数を記憶させておけば、上記のような特別の返送信号にする必要はなく、接続数に応じてアドレス指定で順次火災感知器３Ａを呼び出せば良い。
【０１６８】
この図１５の実施形態にあっても、感知器回線Ｌ，Ｃ間に接続している火災感知器３Ａ−１〜３Ａ−ｎのいずれかで火災発報があると、感知器用中継器１Ａの発報検索部２０Ａが起動して自動的に発報感知器のアドレスを検索し、受信機１０からの発報した感知器用中継器１Ａを特定した検索コマンドの呼出信号に対し、発報した感知器アドレスの応答を行い、受信機１０側で感知器用中継器１Ａに接続している発報した火災感知器のアドレス表示を行うことができる。
【０１６９】
また感知器用中継器１Ａに設けている遠隔試験部２１Ａは、発報検索部２０Ａと同じ図１５（Ｂ）の検索信号５２を使用して火災感知器３の遠隔試験を順番に行う。この遠隔試験部２１Ａで使用する試験信号は図１５（Ｂ）と同じ検索信号５２であり、また火災感知器からの応答信号も同じ応答信号５３を使用する。
【０１７０】
ここで応答信号５３の応答コード信号は、試験信号により試験発報があった場合は自己アドレスを応答し、試験発報がないときはアドレス部分を空白とする。また最終アドレスの火災感知器３Ａ−ｎについては、最終アドレスであることを示すため、最終アドレスを示す応答コード信号は、試験発報があった場合には自己アドレスを反転した信号とし、試験発報がなかった場合には空白信号を逆転したオール１の信号とする。
【０１７１】
このような遠隔試験部２１による試験信号とその応答信号により、火災感知器３のアドレスを順番に指定して感知器試験を行い、全ての火災感知器３の試験結果が正常であれば、受信機１０からの感知器用中継器１を指定した呼出信号の応答タイミングで試験結果を受信機１０に応答する。
【０１７２】
また１台でも試験発報が得られない火災感知器があれば、異常を示す試験結果を受信機１０に応答する。この場合、異常を起こした火災感知器が試験信号によるアドレス指定で分かっていることから、受信機１０に対し異常火災感知器を示すアドレスと共に試験結果を応答することができる。
【０１７３】
図１６は本発明の火災報知システムで使用する感知器用中継器の他の実施形態であり、この実施形態にあっては感知器用中継器からの感知器回線に接続している火災感知器について、手前に位置する火災感知器から奥の火災感知器に対し順番に発報検索あるいは遠隔試験を行っていくようにしたことを特徴とする。
【０１７４】
図１６（Ａ）は感知器用中継器１Ｂの実施形態であり、感知器用中継器１Ｂから引き出された感知器回線Ｌ，Ｃ間に火災感知器３Ｂ−１〜３Ｂ−ｎを接続し、終端には終端抵抗等の終端器４を接続している。
【０１７５】
感知器用中継器１Ｂには呼出応答部１８、割込送信部１９、発報検索部２０Ｂ、遠隔試験部２１Ｂが設けられる。このうち呼出応答部１８及び割込送信部１９は図１の実施形態と同じものである。火災感知器３には検索試験応答回路部５０Ｂが設けられる。
【０１７６】
図１６（Ｂ）は火災感知器３Ｂ−１の回路構成であり、火災感知器３Ｂ−２〜３Ｂ−ｎも同じ回路構成を持つ。火災感知器３Ｂ−１は感知器用中継器１側の接続端子Ｌ１，Ｃ１と終端器側の接続端子Ｌ２，Ｃ２を有し、その間に発報回路５４、検索パルス検出回路５５、ローパスフィルタ５６を設けている。
【０１７７】
端子Ｌ１，Ｌ２間を接続するラインの発報回路５３とローパスフィルタ５６の各接続点の間には、ダイオードＤ１を感知器用中継器１側から終端器４側に向けて接続している。
【０１７８】
発報回路５４は火災による煙や熱を検出すると、端子Ｌ１，Ｃ１間を低インピーダンスに接続し、感知器用中継器１に対し発報電流を流し、割込送信部１９によるブレーク信号の送出と発報検索部２０Ｂによる発報感知器のアドレス検索を開始させる。発報検索部２０Ｂが起動すると、感知器回線Ｌ，Ｃ間に図１５（Ｃ）に示すような検索パルス信号６０−１，６０−２，・・・６０−ｎを順次送信してくる。
【０１７９】
この検索パルス信号６０−１〜６０−ｎのそれぞれは複数の単パルスを連続した同じ信号であり、図１６（Ｂ）の火災感知器３Ｂ−１に設けているローパスフィルタ５６で吸収されやすくしている。
【０１８０】
ローパスフィルタ５６は通常状態にあっては、例えば直列ＲＣフィルタ回路のコンデンサと並列に接続したトランジスタをオフとすることでフィルタ機能を有効としている。
【０１８１】
このため発報検索部２０Ｂから送出された最初の検索パルス信号６０−１は１番目の火災感知器３Ｂ−１に設けているローパスフィルタ５６で吸収され、それ以降に接続している火災感知器３Ｂ−２〜３Ｂ−ｎには供給されない。
【０１８２】
１番目の火災感知器３Ｂ−１の検索パルス検出回路５５は最初に送出された検索パルス信号６０−１を検出し、このとき発報回路５４が発報状態になければ、一定時間幅を持った検索応答信号６１−１を送出する。
【０１８３】
これに対し発報回路５４が発報状態にあった場合には、その発報電流を例えば保持電流に制限した発報応答信号を送出する。この発報電流を保持電流に制限することにより、図１６（Ｃ）の破線の検索応答信号６１−１´のように感知器回線Ｌ−Ｃ間の電圧が上昇し、これによって発報検索部２０Ｂは１番目の火災感知器３Ｂ−１が発報感知器であることを認識し、発報した感知器アドレスをセーブし、受信機１０からの検索コマンドに対し感知器アドレスを応答することができる。
【０１８４】
また検索パルス検出回路５５は最初の検索パルス６０−１を検索すると、ローパスフィルタ５６のコンデンサに並列接続しているコンデンサをオンすることでショットし、これによってローパスフィルタ５６のフィルタ機能をカットする。
【０１８５】
このため次の検索パルス信号６０−２は、検索が済んだ火災感知器３Ｂ−１を通って次の火災感知器３Ｂ−２に供給され、１番目の火災感知器３Ｂ−１と同様な検索パルスの検索の検出に基づく検索応答及びローパスフィルタ５６のカットオフ処理が行われる。
【０１８６】
最後の火災感知器３Ｂ−ｎに検索パルス６０−ｎが送出されると、その検索パルス検出回路５５は発報回路５４の駆動により、発報状態にない場合には２つのパルスを続けた検索応答信号６１−ｎを送出し、これによって発報検索部２０Ｂは最後の火災感知器であることを認識して検索パルス信号の送出を停止する。
【０１８７】
また最後の火災感知器３Ｂ−ｎが発報感知器であった場合には、先頭の火災感知器の発報状態での検索応答信号６１−１´と同様、発報電流を２回保持電流に制限することで、線間電圧が２回増加する検索応答信号を返すことになる。
【０１８８】
この検索応答信号６１−ｎの返送方法においても、感知器用中継器１Ｂが接続数を予め記憶していれば接続数分だけ検索パルスを送れば良いので特別な応答信号６１−ｎにする必要はなく、６１−１と同じ信号で良い。
【０１８９】
このように図１６の実施形態にあっても、火災感知器３Ｂ−１〜３Ｂ−ｎのいずれかが火災検出により発報すると、感知器用中継器１の発報検索部２Ｂが自動的に発報した火災感知器のアドレスを検索し、受信機１０からの感知器用中継器１を特定した検索コマンドを受信した際に、発報した火災感知器のアドレスを受信機１０側に応答して表示することができる。
【０１９０】
次に図１６（Ａ）の感知器用中継器１Ｂに設けている遠隔試験部２１Ｂによる遠隔試験を説明する。遠隔試験部２１Ｂは受信機１０側から試験コマンドを受信した際に起動し、図１６（Ｃ）の検索信号６０−１〜６０−ｎを遠隔試験の際には試験信号として感知器回線Ｌ，Ｃに送出し、図１６（Ｂ）に示す各火災感知器に設けているローパスフィルタ５６により先頭の火災感知器３Ｂ−１から最後の火災感知器３Ｂ−ｎに向けて順番に検索パルス検出回路５５が発報回路５４を動作して試験発報を行わせる。
【０１９１】
最後の火災感知器３Ｂ−ｎからの試験発報の応答信号が図１６（Ｃ）の検索応答信号６１−ｎと同じようにして得られると、遠隔試験部２１は試験結果を受信機１０からの感知器用中継器１のアドレスを指定した呼出信号に対する応答信号のデータとして返送し、受信機１０で感知器用中継器１の試験結果を表示することができる。
【０１９２】
この場合、もし試験発報しない異常な火災感知器があった場合には、その異常を起こした火災感知器が何番目の感知器か認識できるため、異常を起こした火災感知器のアドレスを受信機１０に応答し、異常感知器アドレスを表示することもできる。
【０１９３】
尚、本発明は上記の実施形態に限定されず、その目的と利点を損なわない適宜の変形を含む。また本発明は上記の実施形態に示した数値による限定は受けない。
【０１９４】
また、上記の実施形態においては、感知器用中継器１の感知器回線２の全てにおいて遠隔試験及び発報感知器の検索を行うようにしているが、これに限らず、複数回線の中の一部の回線だけ上記機能を設けるようにしても良いし、感知器用中継器１に設けた設定部で回線毎に上記機能を有効にするか任意に設定できるようにしても良い。
【０１９５】
また、感知器用中継器に接続する感知器回線は１回線でも良い。
【０１９６】
更に、本実施形態の受信機は図１に示す受信機に限らず受信機に複数の中継盤が接続され、中継盤から各端末と伝送を行う分散型システムの中継盤も含まれる。
【０１９７】
【発明の効果】
以上説明してきたように本発明によれば、回線単位に火災監視を行う感知器用中継器において、受信機からのアドレス指定による呼出しに対し火災検出時に発報感知器のアドレスを自動的に検索し、受信機からの呼出しに対し検索した感知器アドレスを応答して表示することができる。
【０１９８】
また感知器用中継器における感知器アドレスの検索は感知器回線単位であり、１回線に接続する火災感知器の数はそれほど多くないため、比較的簡単な伝送回路機能を感知器用中継器に設ければよく、回線単位に火災を監視する感知器用中継器であっても、各感知器のアドレスを認識した、きめ細かい火災監視が安価に実現することができ、避難誘導や火災対処をより適切に行うことができる。
【０１９９】
また、受信機からの試験コマンドの受信で、感知器用中継器の感知器回線に接続された火災感知器の試験を行う機能を設けたことにより、定期的に試験を行うことにより、火災報知システムの信頼性をなお向上することができる共に、感知器の設置場所まで行かずに試験を行うことができる。
【図面の簡単な説明】
【図１】本発明のシステム構成のブロック図
【図２】本発明の呼出信号と応答信号のフォーマット説明図
【図３】図２の感知器用中継器における火災検出時の呼出応答と発報検索のタイミングチャート
【図４】図１の感知器用中継器の実施形態を示した回路ブロック図
【図５】発報検索機能および遠隔試験機能を備えた図２の火災感知器の回路ブロック図
【図６】図５の火災感知器におけるＥＥＰＲＯＭの読出しによる検索応答動作のタイミングチャート
【図７】図４の感知器用中継器と図５の火災感知器による火災監視処理のタイムチャート
【図８】図５の火災感知器におけるＥＥＰＲＯＭの読出しによる試験動作のタイミングチャート
【図９】図４の感知器用中継器と図５の火災感知器による遠隔試験処理のタイムチャート
【図１０】本発明の受信機制御処理のフローチャート
【図１１】図１０における割込・検索処理のフローチャート
【図１２】本発明の感知器用中継器による制御処理のフローチャート
【図１３】図１２の続きのフローチャート
【図１４】火災感知器の他の実施形態の回路ブロック図
【図１５】火災感知器にＣＰＵを搭載して発報検索と遠隔試験を行う本発明の感知器用中継器の他の実施形態の説明図
【図１６】同じ検索信号を繰り返し送出して発報感知器を検索する本発明の感知器用中継器の他の実施形態の説明図
【符号の説明】
１，１Ａ，１Ｂ：感知器用中継器
２ａ〜２ｃ：感知器回線
３，３Ａ−１〜３Ａ−ｎ，３Ｂ−１〜３Ｂ−ｎ：火災感知器
４：終端器
５：伝送路
６：アナログ煙感知器
７：アナログ熱感知器
８：制御用中継器
９：制御不可
１１：受信機用ＭＰＵ
１２：表示部
１３：操作部
１４：鳴動部
１５：呼出制御部
１６：割込処理部
１７：定期点検部
１８：呼出応答部
１９：割込送信部
２０：発報検索部
２１：遠隔試験部
２２，２３：定電圧回路
２４：検索応答試験回路部
２４ａ：検索応答部
２４ｂ：試験応答部
２５：電流制限回路
２６−１〜２６−３：検索回路部
２７：電圧制御回路
２８：出力バッファ回路
２９：電流検出回路
３０：中継器用ＭＰＵ
３１：送受信回路
３２：発報表示灯
３３：アドレス設定回路
３４：ディップスイッチ
３５：電圧監視回路
３６．３７：Ａ／Ｄ変換器
３８：整流・ノイズ吸収回路
３９：発報回路
４０：電源回路
４１：信号処理回路
４２：検出回路
４３：線路電圧検出回路
４４：クロックデータ検出回路
４５：ＥＥＰＲＯＭ（不揮発性メモリ）
４６：機能切替スイッチ
４７：電流制限回路
４８：試験回路
４９：立下り回路
５０：復旧回路
５４：発報回路
５５：試験パルス検出回路
５６：ローフィルタ
【図１】
0003788711.tif 000002
【図２】
0003788711.tif 000003
【図３】
0003788711.tif 000004
【図４】
0003788711.tif 000005
【図５】
0003788711.tif 000006
【図６】
0003788711.tif 000007
【図７】
0003788711.tif 000008
【図８】
0003788711.tif 000009
【図９】
0003788711.tif 000010
【図１０】
0003788711.tif 000011
【図１１】
0003788711.tif 000012
【図１２】
0003788711.tif 000013
【図１３】
0003788711.tif 000014
【図１４】
0003788711.tif 000015
【図１５】
0003788711.tif 000016
【図１６】
0003788711.tif 000017